(57)【要約】【課題】照明ムラを抑制して、製造コストの増大を抑えることができるメータ指針構造を提供する。【解決手段】メータ装置１０の文字板５の表示面５ａ側に設けられた指針本体１１に、この文字板５の裏面側に設けられた光源７からの照光を、この文字板５に形成された軸孔５ｃを介して導くことにより、上面部を照明する指針本体１１を有するメータ指針構造である。指針本体１１の下面１１ａには、軸孔５ｃを介して基軸部２０ａを挿通させると共に、指針本体１１の下面に当接する当接面２０ｃを設けた光透過性基軸部材２０を、指針本体１１とは、別体で構成すると共に、当接面２０ｃと、指針本体１１の下面１１ａとの間には、光を拡散させる印刷層２０ｄが形成されている。【選択図】  図１
2004271373.tif 000002
【特許請求の範囲】
【請求項１】
メータ装置の文字板の表示面側に設けられて、該文字板の裏面側に設けられた光源からの照光を、該文字板に形成された軸孔を介して導くことにより、上面部を照明する指針本体を有するメータ指針構造において、
前記指針本体の下面には、前記軸孔を介して基軸部を挿通させると共に、該指針本体の下面に当接する当接面を設けた光透過性基軸部材を前記指針本体と別体で構成すると共に、該当接面と、前記指針本体の下面との間には、光拡散手段が設けられていることを特徴とするメータ指針構造。
【請求項２】
前記光拡散手段は、前記当接面又は、前記指針本体の下面に施された印刷により構成されることを特徴とする請求項１記載のメータ指針構造。
【請求項３】
前記指針本体の下面を、指針先端まで延設された指針部の下面と面一となるように形成すると共に、前記印刷が該指針部の下面に反射面を形成する印刷と共に行われることを特徴とする請求項２記載のメータ指針構造。
【発明の詳細な説明】
【０００１】
【発明の属する技術分野】
この発明は、全長で発光可能なメータ指針構造で、主に、自動車に搭載されるアナログメータ装置に用いられるメータ指針構造に関する。
【０００２】
【従来の技術】
従来、図５に示すような自動車等の車両に搭載されるメータ指針構造が知られている（例えば、特許文献１参照）。
【０００３】
まず、構成から説明すると、この従来のメータ指針構造では、透明材料で構成されて導光可能な指針本体１が、指針先端方向に向けて一定長さ延設される指針部１ａの下側に、基軸部１ｂを一体に形成して、断面略Ｔ字状を呈するようにしている。
【０００４】
この基軸部１ｂは、文字板５の裏面側５ｂに設けられたムーブメントの軸に連結されている。
【０００５】
また、この指針部１ａのうち、前記基軸部１ｂの上方に位置する部分には、逆台形形状の中空反射部３が形成されている。
【０００６】
そして、この中空反射部３内には、半透光性光拡散部材４が嵌合されている。
【０００７】
前記文字板５の下方には導光板６が設けられていて、反射面６ａ，６ａ等で上方に向けて屈曲された光源７からの照光を前記指針本体１内に導くように構成されている。
【０００８】
次にこの従来のメータ指針構造の作用について説明する。
【０００９】
このように構成された従来のメータ指針構造では、前記光源７からの照光は、前記導光板６の反射面６ａ，６ａ等で反射されて、指針本体１内に下面部１ｃから入光する。
【００１０】
この照光の一部は、前記中空反射部３の傾斜反射面３ａと、前記指針部１ａの末端反射面１ｄとに反射されて指針部１ａの上面部１ｅを発光させる。
【００１１】
また、前記上面部１ｅのうち、前記半透過性拡散部材４の上方の部分１ｆでは、前記中空反射部３及び、前記半透光性光拡散部材４を通過した光によって照光される。
【００１２】
このため、前記中空反射部３及び、前記半透光性光拡散部材４を設けずに直接、前記導光板６からの入光が、前記部分１ｆを照光する場合に比して、光量を減少させることが出来る。
【００１３】
従って、比較的、直接の照光によって明るくなり、照明ムラを発生させやすい前記部分１ｆの明るさも、指針部１ａの上面部１ｅの他の部分１ｇ等の明るさに揃えられて、前記指針部１ａの上面部１ｅの略全長に渡り、略均一な照明を得ることができる。
【００１４】
【特許文献１】
実公平６−７３１０号公報（第２頁左欄第３０行目乃至右欄第１０行目
【実施例】、図１）
【００１５】
【発明が解決しようとする課題】
しかしながら、前記従来のメータ指針構造では、前記指針部１ａのうち、前記基軸部１ｂの上方に位置する部分の中空反射部３内に、透光性光拡散部材４若しくは、不透明な樹脂部材等を嵌合させて、光量を調整するようにしているので、調光が困難で、照明ムラが発生しやすい。
【００１６】
また、前記指針部１ａの一部に、逆台形形状の中空反射部３を形成しなければならず、複雑な形状を形成するため、スライド成形型を用いる等、製造コストが増大してしまう虞もあった。
【００１７】
そこで、本発明の目的は、照明ムラを抑制して、製造コストの増大を抑えることができるメータ指針構造を提供することにある。
【００１８】
【課題を解決するための手段】
本発明は、かかる問題点に着目してなされたもので、請求項１に係る発明では、メータ装置の文字板の表示面側に設けられて、該文字板の裏面側に設けられた光源からの照光を、該文字板に形成された軸孔を介して導くことにより、上面部を照明する指針本体を有するメータ指針構造において、前記指針本体の下面には、前記軸孔を介して基軸部を挿通させると共に、該指針本体の下面に当接する当接面を設けた光透過性基軸部材を前記指針本体と別体で構成すると共に、該当接面と、前記指針本体の下面との間には、光拡散手段が設けられているメータ指針構造を特徴としている。
【００１９】
このように構成された請求項１記載のものでは、前記当接面と指針本体の下面との間に設けられた光拡散手段が、前記光透過性基軸部材を透過して前記指針本体の上面部を照明する光源からの照光を拡散する。
【００２０】
該光拡散手段は、前記当接面と指針本体の下面との間に容易に設けることができるので、製造コストの上昇が抑制されて、前記指針本体の上面部の照明ムラが減少した均等な照明を得ることができる。
【００２１】
また、請求項２に記載されたものでは、前記光拡散手段は、前記当接面又は、前記指針本体の下面に施された印刷により構成される請求項１記載のメータ指針構造を特徴としている。
【００２２】
このように構成された請求項２記載のものでは、前記光拡散手段が、前記当接面又は、前記指針本体の下面に印刷を施すことにより、容易に構成出来る。
【００２３】
更に、請求項３に記載されたものでは、前記指針本体の下面を、指針先端まで延設された指針部の下面と面一となるように形成すると共に、前記印刷が該指針部の下面に反射面を形成する印刷と共に行われる請求項２記載のメータ指針構造を特徴としている。
【００２４】
このように構成された請求項３記載のものでは、前記印刷が該指針部の下面に反射面を形成する印刷と共に行われるので、更に、製造工程が簡略化されて、製造コストの増大を抑えることができる。
【００２５】
【発明の実施の形態１】
図１乃至図４は、この発明の実施の形態１のメータ指針構造を示すものである。
【００２６】
なお、前記従来例と同一乃至均等な部分については、同一符号を付して説明する。
【００２７】
まず、構成から説明すると、この実施の形態１のメータ指針構造では、メータ装置１０の文字板５の表示面５ａ側に指針本体１１が設けられている。
【００２８】
この指針本体１１は、この文字板５の裏面側５ｂ下方に設けられた光源７からの照光を、該文字板５に形成された軸孔５ｃ及び、光透過性基軸部材２０を介して、この指針本体１１内に導くことにより、この指針本体１１の上面部１２を照明するように構成されている。
【００２９】
すなわち、この指針本体１１の下面には、前記光透過性基軸部材２０が、前記指針本体１１と別体となるように、光透過性を有する透明材料で構成されている。
【００３０】
この光透過性基軸部材２０には、前記軸孔５ｃに挿通される円柱状を呈する基軸部２０ａと、この基軸部２０ａの上端と接続されて上面に、平面状の当接面２０ｃを形成する円盤部２０ｂが一体となるように設けられている。
【００３１】
この当接面２０ｃは、前記指針本体１１の下面１１ａに当接すると共に、前側半円部２０ｅ及びこの前側半円部２０ｅの弦部分に対して連設される後側長方形部２０ｆに、この当接面２０ｃと、前記指針本体１１の下面１１ａとの間に位置するように光拡散手段としての拡散印刷が施されて印刷層２０ｄが形成されている。
【００３２】
また、この当接面２０ｃの前記後側長方形部２０ｆの左，右には、光透部２０ｇ，２０ｇが形成されていて、前記導光板６を介して上方に導かれた光源７の照光が、直接、前記指針本体１１の指針部１１ｂ両側に形成された反射面１１ｃ，１１ｃに至るまで、この指針本体１１内を透過させるように構成されている。
【００３３】
また、この光透過性基軸部材２０の円盤部２０ｂ略中央には、前記文字板５の裏面側に設けられたムーブメント３０の回動軸３１を嵌着する軸孔２０ｈが開口形成されている。
【００３４】
更に、この光透過性基軸部材２０の円盤部２０ｂの左，右端縁近傍には、一対のピン孔２０ｉ，２０ｉが形成されていて、キャップ部材４０に下方に向けて一体に突設形成されたピン４１，４１を前記反射面１１ｃ，１１ｃの両側に形成された一対の係合溝１１ｄ，１１ｄと共に挿通嵌着させるように構成されている。
【００３５】
また、前記指針部１１ｂの後端縁には、反射凹部１１ｅが、下側を凹とするように形成されていて、光透過性材料で構成されるバランサ部材５０が、この反射凹部１１ｅに装着されるように構成されている。
【００３６】
そして、前記キャップ部材４０に形成された切り欠き溝４２から、前記指針本体１１の上面部１２が、外部から視認可能となるように挿通されて組み付けられている。
【００３７】
次に、この実施の形態１のメータ指針構造の作用について説明する。
【００３８】
この実施の形態１のメータ指針構造では、平面状に形成された前記光透過性基軸部材の当接面２０ｃに、拡散印刷を施すことによって、印刷層２０ｄが形成される。
【００３９】
このため、従来の前記指針本体１のように、逆台形形状の前記中空反射部３を形成する必要が無く、指針本体１１の成形が容易に行えると共に、前記印刷層２０ｄの形成も、平面状の当接面２０ｃに印刷を施すことによって得られて、別部品を必要としない。
【００４０】
従って、製造コストの上昇が抑制される。
【００４１】
また、図３に示すように、前記指針本体１１の下面１１ａを前記光透過性基軸部材２０の当接面２０ｃに合わせて、前記キャップ部材４０のピン４１，４１によって組み合わせた後、メータ装置１０への組付けによって、前記当接面２０ｃと指針本体１１の下面１１ａとの間に容易に位置させて設けることができるので、製造コストの上昇が抑制される。
【００４２】
そして、図１に示すように、前記メータ装置１０に、このキャップ部材４０と、前記光透過性基軸部材２０とによって上，下両側から組み付けられた指針本体１１を装着して、前記光源７を点灯すると、この光源７からの照明光は、前記導光板６から前記当接面２０ｃと指針本体１１の下面１１ａとの間に位置するように設けられた印刷層２０ｄによって、前記光透過性基軸部材２０を透過して前記指針本体１１の上面部１２を照明する際に拡散される。
【００４３】
この実施の形態１では、前記印刷層２０ｄのうち、前記後側長方形部２０ｆ及び前側半円部２０ｅの一部が、前記指針本体１１の上面部１２の下方に位置するので、直接、光源７の照光が上面部１２に到達することなく、図１中破線で示すように拡散されてから、この上面部１２に到達して照明を行う。
【００４４】
また、この実施の形態１では、前記後側長方形部２０ｆの左，右に形成された光透部２０ｇ，２０ｇが、前記導光板６を介して上方に導かれた光源７の照光を、直接、前記指針本体１１の指針部１１ｂ両側に形成された反射面１１ｃ，１１ｃに至るまで透過させる。
【００４５】
このため、指針本体１１の先端近傍まで、所望の照明光量を、この反射面１１ｃ，１１ｃで反射させて得ることができる。
【００４６】
従って、前記指針本体１１の上面部１２では、長手方向の明るさが均一となるように調光された照明光が到達し、照明ムラが減少した均等な照明を得ることができる。
【００４７】
【変形例１】
図４は、この発明のメータ指針構造の変形例１を示すものである。
【００４８】
なお、前記実施の形態１と同一乃至均等な部分については、同一符号を付して説明する。
【００４９】
この変形例１では、指針本体１１１の下面１１１ａ側に、光拡散手段としての拡散印刷が施されて、指針先端まで連続する印刷層１１１ｐが形成されている。
【００５０】
次に、この実施の形態１の変形例１のメータ指針構造の作用について説明する。
【００５１】
このように構成された変形例１のメータ指針構造では、前記光源からの照光を拡散させる光拡散手段としての印刷が施された印刷層１１１ｐが、前記指針本体１１１の下面に反射面を形成する印刷と共に行われて、一回の印刷で拡散印刷を形成することができるので、更に、製造工程が簡略化されて、製造コストの増大を抑えることができる。
【００５２】
他の構成、及び作用効果については、前記実施の形態１と同一乃至均等であるので説明を省略する。
【００５３】
以上、図面を参照して、本発明の実施の形態１のメータ指針構造を詳述してきたが、具体的な構成は、この実施の形態１に限らず、本発明の要旨を逸脱しない程度の設計的変更は、本発明に含まれる。
【００５４】
例えば、前記実施の形態１では、前記光透過性基軸部材２０の当接面２０ｃに光拡散手段としての印刷層２０ｄを印刷によって形成したものを用いて説明してきたが、特にこれに限らず、例えば、指針本体１１の下面１１ａ側に印刷を施すか或いは、前記当接面２０ｃと共に、この下面１１ａにも印刷を施して構成しても良く、拡散印刷の面積、網点印刷等の模様の形状、密度、数量が特に前記実施の形態１に限定されるものでは無く、前記光透過性基軸部材２０の当接面２０ｃと指針本体１１の下面１１ａとの間に設けられているものであればよい。
【００５５】
【発明の効果】
上述してきたように、請求項１記載のものでは、前記当接面と指針本体の下面との間に設けられた光拡散手段が、前記光透過性基軸部材を透過して前記指針本体の上面部を照明する光源からの照光を拡散する。
【００５６】
該光拡散手段は、前記当接面と指針本体の下面との間に容易に設けることができるので、製造コストの上昇が抑制されて、前記指針本体の上面部の照明ムラが減少した均等な照明を得ることができる。
【００５７】
また、請求項２に記載されたものでは、前記光拡散手段が、前記当接面又は、前記指針本体の下面に印刷を施すことにより、容易に構成出来る。
【００５８】
更に、請求項３に記載されたものでは、前記印刷が該指針部の下面に反射面を形成する印刷と共に行われるので、更に、製造工程が簡略化されて、製造コストの増大を抑えることができる、という実用上有益な効果を発揮する。
【図面の簡単な説明】
【図１】本発明の実施の形態１のメータ指針構造を示し、図２中Ａ−Ａ線に沿った位置での断面図である。
【図２】実施の形態１のメータ指針構造で、指針の斜視図である。
【図３】実施の形態１のメータ指針構造で、指針の分解斜視図である。
【図４】本発明の実施の形態１の変形例１のメータ指針構造を示し、図２中Ａ−Ａ線に沿った位置に相当する位置での断面図である。
【図５】従来のメータ指針構造の断面図である。
【符号の説明】
５            文字板
５ａ          表示面（側）
５ｂ          裏面（側）
５ｃ          軸孔
７            光源
１１，１１１  指針本体
１１ａ，１１１ａ  下面
２０          光透過性基軸部材
２０ａ        基軸部
２０ｃ        当接面
２０ｄ        印刷層（光拡散手段）
【図１】
2004271373.tif 000003
【図２】
2004271373.tif 000004
【図３】
2004271373.tif 000005
【図４】
2004271373.tif 000006
【図５】
2004271373.tif 000007